(57)【要約】【課題】人通口が形成される内側基礎梁の厚さが２２０ｍｍの場合や１４０ｍｍの場合であっても１種類の人通口形成用型枠を用いて人通口を形成することのできる人通口の形成方法を提供する。【解決手段】複数の枠体接合用ねじ８により内側基礎梁の厚さ方向に分離可能に接合された二つの枠体５，６と、これらの枠体５，６のうち一方の枠体５を内側基礎梁のコンクリート打設空間を形成する基礎形成型枠の上端部から吊り下げて支持する枠体吊下げ具７とを備え、枠体５が１４０ｍｍｍの奥行き寸法で枠状に形成されていると共に、枠体６が８０ｍｍｍの奥行き寸法で枠状に形成されている人通口形成用型枠を用いて内側基礎梁に人通口を形成するようにした。【選択図】図１
2010168782.tif 000002
【特許請求の範囲】
【請求項１】
ユニット式建物の建物ユニットが設置される布基礎の内側基礎梁に人通口を形成するときに用いられる人通口形成用型枠であって、
前記人通口に対応する大きさで枠状に形成された二つの枠体と、
該二つの枠体を前記内側基礎梁の厚さ方向に接合する複数の枠体接合用ねじと、
前記二つの枠体のうち一方の枠体を前記内側基礎梁のコンクリート打設空間を形成する基礎形成型枠の上端部から吊下げる枠体吊下げ具と、
を備えたことを特徴とする人通口形成用型枠。
【請求項２】
前記二つの枠体のうち一方の枠体は前記枠体接合用ねじと遊嵌する複数のネジ挿通孔と複数の位置合せ孔とを有し、前記二つの枠体のうち他方の枠体は前記枠体接合用ねじと螺合する複数の枠体接合用ナットを有すると共に、前記位置合せ孔と嵌合して前記ネジ挿通孔の中心と前記枠体接合用ナットの中心とを位置合せする複数の位置合せピンを有することを特徴とする請求項１記載の人通口形成用型枠。
【請求項３】
前記枠体吊下げ具は、前記二つの枠体のうち一方の枠体から上方に延設された左右一対の枠体吊下げ部材と、該枠体吊下げ部材を介して前記一方の枠体を前記基礎形成型枠の上端部に掛止する掛止部を有する水平部材と、該水平部材の左右方向の両端部に固設された一対の水平部材固定用ナットと、前記枠体吊下げ部材の上端部に形成された縦長のスリットを挿通して前記水平部材固定用ナットに螺合する一対の水平部材固定用ねじとを有することを特徴とする請求項１または２記載の人通口形成用型枠。
【請求項４】
前記二つの枠体のうち一方の枠体が１４０ｍｍの奥行き寸法で枠状に形成され、かつ他方の枠体が８０ｍｍの奥行き寸法で枠状に形成されていることを特徴とする請求項１〜３のいずれか一項記載の人通口形成用型枠。
【請求項５】
ユニット式建物の建物ユニットが設置される布基礎の内側基礎梁に人通口を形成する方法であって、請求項１〜４のいずれか一項に記載の人通口形成用型枠を用いて、前記内側基礎梁に人通口を形成するようにしたことを特徴とする人通口の形成方法。
【発明の詳細な説明】
【技術分野】
【０００１】
本発明は、ユニット式建物の建物ユニット、特に方形状に形成された床フレームの四隅に柱を立設して形成された直方体形状の建物ユニットが設置される布基礎の内側基礎梁に人通口を形成するときに使用される人通口形成用型枠と人通口の形成方法に関する。
【背景技術】
【０００２】
方形状に形成された床フレームの四隅に柱を立設して形成された直方体形状の建物ユニットを複数組み合せて構成されるユニット式建物は、通常、建物ユニットの床フレームと布基礎との間に例えば１２ｍｍの換気用隙間が形成されるように、建物ユニットを布基礎上に設置して構築される。このため、例えば特許文献１に開示された布基礎の構築方法のように、布基礎の外側基礎梁や内側基礎梁に換気口を形成する必要はないが、床下配管などを点検するための人通口を布基礎の内側基礎梁に形成する必要がある。そこで、従来においては、例えば図５に示されるような人通口形成用型枠１を用いて布基礎の内側基礎梁２に人通口３を形成するようにしている。
【先行技術文献】
【特許文献】
【０００３】
【特許文献１】特開２００１−２７０４３号公報
【発明の概要】
【発明が解決しようとする課題】
【０００４】
しかしながら、人通口が形成される布基礎の内側基礎梁は、厚さが２２０ｍｍのものと１４０ｍｍのものとがあるため、従来においては、奥行きが１４０ｍｍの人通口形成用型枠と奥行きが２２０ｍｍの人通口形成用型枠とを用意しなければならないという問題があった。
また、内側基礎梁の厚さが２２０ｍｍの場合には、内側基礎梁のコンクリート打設空間に打設されたコンクリートから人通口形成用型枠を引き抜くのに多くの時間を要するという問題点もあった。
【０００５】
本発明は上述した問題点に着目してなされたものであって、ユニット式建物の建物ユニットが設置される布基礎の内側基礎梁に人通口を形成するときに好適な人通口形成用型枠を提供することを目的とするものである。また、本発明の他の目的は、人通口が形成される内側基礎梁の厚さが２２０ｍｍの場合であっても内側基礎梁を形成するコンクリートから人通口形成用型枠を取り外すことのできる人通口の形成方法を提供することにある。さらに、本発明の他の目的は、人通口が形成される内側基礎梁の厚さが２２０ｍｍの場合や１４０ｍｍの場合であっても１種類の人通口形成用型枠を用いて人通口を形成することのできる人通口の形成方法を提供することにある。
【課題を解決するための手段】
【０００６】
上記課題を解決するため、本発明に係る人通口形成用型枠は、ユニット式建物の建物ユニットが設置される布基礎の内側基礎梁に人通口を形成するときに用いられる人通口形成用型枠であって、前記人通口に対応する大きさで枠状に形成された二つの枠体と、該二つの枠体を前記内側基礎梁の厚さ方向に分離可能に接合する複数の枠体接合用ねじと、前記二つの枠体のうち一方の枠体を前記内側基礎梁のコンクリート打設空間を形成する基礎形成型枠の上端部から吊下げる枠体吊下げ具と、を備えたことを特徴とするものである。
【０００７】
本発明に係る人通口形成用型枠において、前記二つの枠体のうち一方の枠体は前記枠体接合用ねじと遊嵌する複数のネジ挿通孔と複数の位置合せ孔とを有し、前記二つの枠体のうち他方の枠体は前記枠体接合用ねじと螺合する複数の枠体接合用ナットを有すると共に、前記位置合せ孔と嵌合して前記ネジ挿通孔の中心と前記枠体接合用ナットの中心とを位置合せする複数の位置合せピンを有することが好ましい。
【０００８】
また、前記枠体吊下げ具は、前記二つの枠体のうち一方の枠体から上方に延設された左右一対の枠体吊下げ部材と、該枠体吊下げ部材を介して前記一方の枠体を前記基礎形成型枠の上端部に掛止する掛止部を有する水平部材と、該水平部材の左右方向の両端部に固設された一対の水平部材固定用ナットと、前記枠体吊下げ部材の上端部に形成された縦長のスリットを挿通して前記水平部材固定用ナットに螺合する一対の水平部材固定用ねじとを有することが好ましい。
【０００９】
さらに、前記二つの枠体のうち一方の枠体は１４０ｍｍの奥行き寸法で枠状に形成され、他方の枠体は８０ｍｍの奥行き寸法で枠状に形成されていることが好ましい。
本発明に係る人通口の形成方法は、ユニット式建物の建物ユニットが設置される布基礎の内側基礎梁に人通口を形成する方法であって、請求項１〜４のいずれか一項に記載の人通口形成用型枠を用いて、前記内側基礎梁に人通口を形成するようにしたことを特徴とするものである。
【発明の効果】
【００１０】
本発明によると、ユニット式建物の建物ユニットが設置される布基礎の内側基礎梁に人通口を形成するときに奥行きが１４０ｍｍの人通口形成用型枠と奥行きが２２０ｍｍの人通口形成用型枠とを用意する必要がないので、人通口が形成される内側基礎梁の厚さが２２０ｍｍの場合や１４０ｍｍの場合であっても１種類の人通口形成用型枠を用いて人通口を形成することができる。
また、人通口を形成するための枠体を内側基礎梁の厚さ方向に分離可能な二つの枠体で形成したことで、内側基礎梁の厚さが２２０ｍｍの場合でも内側基礎梁を形成するコンクリートから人通口形成用型枠を容易に取り外すことができる。
【図面の簡単な説明】
【００１１】
【図１】本発明の一実施形態に係る人通口形成用型枠を示す図である。
【図２】図１に示される人通口形成用型枠の一部を示す図である。
【図３】厚さが２２０ｍｍの内側基礎梁に人通口を形成する場合における本発明に係る人通口の形成方法を示す図である。
【図４】厚さが１８０ｍｍの内側基礎梁に人通口を形成する場合における本発明に係る人通口の形成方法を示す図である。
【図５】内側基礎梁に人通口を形成する場合の従来方法を示す図である。
【発明を実施するための形態】
【００１２】
以下、添付図面を参照して本発明に係る人通口の形成方法と人通口形成用型枠について説明する。
図１は本発明の一実施形態に係る人通口形成用型枠を示す図、図２は図１に示される人通口形成用型枠の一部を示す図であり、図１に示されるように、本発明の一実施形態に係る人通口形成用型枠１は、枠体５，６と枠体吊下げ具７を備えている。
【００１３】
枠体５，６はユニット式建物の建物ユニットが設置される布基礎の内側基礎梁に人通口を形成すためのものであり、これらの枠体５，６のうち枠体５は例えば奥行き１４０ｍｍの寸法で枠状に形成され、枠体６は例えば奥行き８０ｍｍの寸法で枠状に形成されている。
また、枠体５，６は内側基礎梁の厚さ方向に沿う断面が内側基礎梁の外側から内側に向かって絞られた台形形状となっている。さらに、枠体５，６は複数（例えば二つ）の枠体接合用ねじ８により内側基礎梁の厚さ方向に接合されており、枠体５の幅方向を補強する補強部材９には、枠体接合用ねじ８と遊嵌する複数のネジ挿通孔１０が形成され、枠体６の幅方向を補強する補強部材１１には、枠体接合用ねじ８と螺合する複数の枠体接合用ナット１２が固設されている。
【００１４】
また、枠体５，６は四隅に位置合せ部材１３をそれぞれ有しており、枠体５の四隅に設けられた位置合せ部材１３には位置合せ孔１４が形成され、枠体６の四隅に設けられた位置合せ部材１３には位置合せ孔１４と嵌合してネジ挿通孔１０の中心と枠体接合用ナット１２の中心とを位置合せする位置合せピン１５が突設されている
枠体吊下げ具７は内側基礎梁のコンクリート打設空間を形成する基礎形成型枠の上端部から枠体５を吊下げるものであって、枠体５から上方に延設された左右一対の枠体吊下げ部材１６，１６と、これらの枠体吊下げ部材１６を介して枠体５を基礎形成型枠の上端部に掛止する掛止部１７ａを有する水平部材１７とを有している。
【００１５】
また、枠体吊下げ具７は水平部材１７の左右方向の両端部に固設された一対の水平部材固定用ナット１８，１８（図２参照）と、枠体吊下げ部材１６の各上端部に形成された縦長のスリット１９を挿通して水平部材固定用ナット１８に螺合する一対の水平部材固定用ねじ２０，２０とを有し、これらの水平部材固定用ねじ２０を緩めることで水平部材１７は上下方向に移動可能となっている。
【００１６】
図３は厚さが２２０ｍｍの内側基礎梁に人通口を形成する場合の本発明の人通口形成方法を示す図であり、この図３に示されるように、厚さが２２０ｍｍの内側基礎梁に人通口を形成する場合には、図１に示した枠体５と枠体６とを枠体接合用ねじ８により接合する。次に、枠体５及び枠体６を枠体吊下げ具７により基礎形成型枠２１の上端部から吊り下げた後、基礎形成型枠２１により形成されたコンクリート打設空間にコンクリート２２を打設する。そして、コンクリート打設空間に打設されたコンクリート２２が固化したならば、基礎形成型枠２１を分解した後、枠体５と枠体６を内側基礎梁２の厚さ方向に分離すると、奥行き２２０ｍｍの人通口３が内側基礎梁２に形成される。
【００１７】
図４は厚さが１８０ｍｍの内側基礎梁に人通口を形成する場合の本発明の人通口形成方法を示す図であり、この図４に示されるように、厚さが１８０ｍｍの内側基礎梁に人通口を形成する場合には、図１に示した枠体５のみを枠体吊下げ具７により基礎形成型枠２１の上端部から吊り下げた後、基礎形成型枠２１により形成されたコンクリート打設空間にコンクリート２２を打設する。そして、コンクリート打設空間に打設されたコンクリート２２が固化したならば、基礎形成型枠２１を分解した後、枠体５をコンクリート２２から引き抜くと、奥行き１８０ｍｍの人通口３が内側基礎梁２に形成される。
【００１８】
したがって、図１に示した人通口形成用型枠１を用いて内側基礎梁に人通口を形成することで、ユニット式建物の建物ユニットが設置される布基礎の内側基礎梁に人通口を形成するときに奥行きが１４０ｍｍの人通口形成用型枠と奥行きが２２０ｍｍの人通口形成用型枠とを用意する必要がないので、人通口が形成される内側基礎梁の厚さが２２０ｍｍの場合や１４０ｍｍの場合であっても１種類の人通口形成用型枠を用いて人通口を形成することができる。
【００１９】
また、人通口を形成するための枠体を内側基礎梁の厚さ方向に分離可能な二つの枠体５，６で形成したことで、内側基礎梁の厚さが２２０ｍｍの場合でも内側基礎梁を形成するコンクリートから人通口形成用型枠を容易に取り外すことができる。
さらに、二つの枠体５，６を複数の枠体接合用ねじ８により接合するときに枠体接合用ねじ８と嵌合するネジ挿通孔１０の中心と枠体接合用ナット１２の中心とを枠体５，６の四隅に設けた位置合せ孔１４と位置合せピン１５によって一致させることができるため、枠体５と枠体６との間に位置ずれが生じることを防止することができる。
【００２０】
また、枠体５を基礎形成型枠２１の上端部から吊下げる枠体吊下げ具として、枠体５から上方に延設された左右一対の枠体吊下げ部材１６，１６と、これらの枠体吊下げ部材１６を介して枠体５を基礎形成型枠の上端部に掛止する掛止部１７ａを有する水平部材１７と、この水平部材１７の左右方向の両端部に固設された一対の水平部材固定用ナット１８，１８と、枠体吊下げ部材１６の各上端部に形成された縦長のスリット１９を挿通して水平部材固定用ナット１８に螺合する一対の水平部材固定用ねじ２０，２０とを有するものを用いたことで、水平部材固定用ねじ１９を緩めることで水平部材１７が上下方向に移動可能となるので、枠体５の吊下げ位置を任意に調整することができる。
【符号の説明】
【００２１】
１  人通口形成用型枠
２  内側基礎梁
３  人通口
５，６  枠体
７  枠体吊下げ具
８  枠体接合用ねじ
９，１１  補強部材
１０  ネジ挿通孔
１２  枠体接合用ナット
１３  位置合せ部材
１４  位置合せ孔
１５  位置合せピン
１６  枠体吊り下げ部材
１７  水平部材
１７ａ  掛止部
１８  水平部材固定用ナット
１９  スリット
２０  水平部材固定用ねじ
２１  基礎形成型枠
２２  コンクリート
【図１】
2010168782.tif 000003
【図２】
2010168782.tif 000004
【図３】
2010168782.tif 000005
【図４】
2010168782.tif 000006
【図５】
2010168782.tif 000007